(57)【特許請求の範囲】
【請求項１】
上刃と下刃の対向する２枚の回転する丸刃を用いてウェブを挟み込むように切断するシェアカット方式のスリッターであって、丸刃ホルダーを複数装着してなる丸刃用回転軸と、丸刃用回転軸に対して平行に配置され、丸刃ホルダーをその移動時に案内するホルダー用支持軸と、丸刃用回転軸に対して平行に配置され、丸刃ホルダーに当接可能な構造を有した位置決めブロックを案内する位置決めブロック用支持軸と、丸刃用回転軸に対して平行に配置され、丸刃ホルダーの間に設置されるスペーサーを複数装着してなるスペーサー用支持軸とを備え、前記スペーサーは、スペーサー用支持軸上を移動及び固定可能なブロック部分と丸刃用回転軸に向けて延設されたアーム部分とからなり、スペーサー用支持軸上の所定位置にてスペーサー用支持軸の周りで回動することにより、丸刃用回転軸に接触する設置位置と離れる退避位置との間で移動可能であることを特徴とするスリッター。
【請求項２】
スペーサーにおけるアームの先端部分に丸刃用回転軸に接触させるためのローラーを設けたこと特徴とする請求項１に記載のスリッター。
【請求項３】
スペーサーにおけるアームの先端部分にウェブを支持するためのローラーを設けたこと特徴とする請求項１又は２に記載のスリッター。
【発明の詳細な説明】
【技術分野】
【０００１】
本発明は、用紙、フィルム等のウェブを走行させながら所定の幅に切断するスリッターの技術分野に属し、特に、２枚の回転する丸刃を用いてウェブを挟み込むように切断するシェアカット方式のスリッターに関するものである。
【背景技術】
【０００２】
従来、用紙やフィルム等のウェブを所定の幅に切断するスリッターとしては、切断刃を用いて溝切りや空中切りを行うレザーカット方式と、上刃と下刃の対向する２枚の回転する丸刃を用いてウェブを挟み込むように切断するシェアカット方式とがある。
【０００３】
シェアカット方式では、丸刃を自動的に移動させる機能を持つスリッターが知られている。すなわち、手動での固定手段を有した丸刃ホルダーを複数装着してなる回転軸と、その回転軸と平行にボールネジ軸やスライドレール等の支持軸を設置し、その支持軸上に丸刃ホルダーに接する構造を有した位置決めユニットが設置してあり、位置制御モーター等により位置決めユニット及び丸刃ホルダーを切断位置まで移動させ、手動で回転軸に丸刃ホルダーを固定させるものである。そして、スリット幅が広い製品の場合は、設置した刃と刃の間が広くなるため、ウェブのたわみを抑えることを目的にリング状や馬蹄状のスペーサーを設置することがある。
【０００４】
【特許文献１】特開平３−１５４７９９号公報
【特許文献２】特開平７−２４１７９９号公報
【特許文献３】特開２００４−１６０５６０号公報
【発明の開示】
【発明が解決しようとする課題】
【０００５】
一般に、このようなスリッターにおいてスペーサーの設置は手作業で行われている。したがって、丸刃の移動や固定を自動的に行うことができても、結局はスペーサーを設置する際に作業者が手で作業をする必要がある。このため、ロット換え等を行う際の段取り時に他の作業と並行してスペーサーの設置作業をしなければならず、作業効率が悪いという問題があった。
【０００６】
本発明は、このような事情に鑑みてなされたものであり、その目的とするところは、段取り時における作業効率の向上を図ったシェアカット方式のスリッターを提供することにある。
【課題を解決するための手段】
【０００７】
上記の目的を達成するため、本発明のスリッターは、２枚の回転する丸刃を用いてウェブを挟み込むように切断するシェアカット方式のスリッターであって、丸刃ホルダーを複数装着してなる丸刃用回転軸と、丸刃用回転軸に対して平行に配置され、丸刃ホルダーをその移動時に案内するホルダー用支持軸と、丸刃用回転軸に対して平行に配置され、丸刃ホルダーに当接可能な構造を有した位置決めブロックを案内する位置決めブロック用支持軸と、丸刃用回転軸に対して平行に配置され、丸刃ホルダーの間に設置されるスペーサーを複数装着してなるスペーサー用支持軸とを備え、前記スペーサーは、スペーサー用支持軸上を移動及び固定可能なブロック部分と丸刃用回転軸に向けて延設されたアーム部分とからなり、スペーサー用支持軸上の所定位置にてスペーサー用支持軸の周りで回動することにより、丸刃用回転軸に接触する設置位置と離れる退避位置との間で移動可能であることを特徴とする。
【０００８】
そして、上記構成のスリッターにおいて、スペーサーにおけるアームの先端部分に丸刃用回転軸に接触させるためのローラーを設けたり、さらにはウェブを支持するためのローラーを設けたりすることが好ましい。
【発明の効果】
【０００９】
本発明によれば、ウェブのたわみを抑えるスペーサーの設置作業は、スペーサー用支持軸を回動させてスペーサーにおけるアームの先端部分を丸刃用回転軸に被せるようにするだけで完了するので、作業者の手離れ時間を多くなることから、ロット換え等を行う際の段取り時に他の作業との並行作業効率を上げることができる。
【発明を実施するための最良の形態】
【００１０】
以下、本発明の実施形態について詳細に説明する。
【００１１】
図１は本発明の実施形態に係るスリッターの要部を示すもので、このスリッターは、上刃と下刃の対向する２枚の回転する丸刃を用いてウェブを挟み込むように切断するシェアカット方式のスリッターであって、図１（ａ）は下刃側の構造を示す平面図、図１（ｂ）は同じく側面図である。
【００１２】
このスリッターは、丸刃１を取り付けた丸刃ホルダー２を複数装着してなる丸刃用回転軸３と、丸刃用回転軸３に対して平行に配置され、丸刃ホルダー２をその移動時に案内するホルダー用支持軸４と、丸刃用回転軸３に対して平行に配置され、丸刃ホルダー２に当接可能な構造を有した位置決めブロック５を案内する位置決めブロック用支持軸６とを有し、さらに、丸刃用回転軸３に対して平行に配置され、丸刃ホルダー２の間に設置されるスペーサー７を複数装着してなるスペーサー用支持軸８を備えている。なお、図１はスペーサー７を設置し終わってウェブを通す前の状態を示している。
【００１３】
スペーサー７は、スペーサー用支持軸８上を移動及び固定可能なブロック部分７ａと丸刃用回転軸３に向けて延設されたアーム部分７ｂとからなる。そして、スペーサー用支持軸８上の所定位置にてスペーサー用支持軸８の周りで回動することにより、丸刃用回転軸３に接触する設置位置と離れる退避位置との間で移動可能になっている。
【００１４】
スペーサー７におけるアーム部分７ｂの先端は、丸刃１の外形と合うように湾曲した形状になっている。そして、アーム部分７ｂの先端には、図２に拡大して示すように、丸刃用回転軸３に接触させるための回転軸接触用ローラー９が設置され、さらにウェブを支持するためのウェブ支持用ローラー１０が設置されている。
【００１５】
スペーサー用支持軸８は、一般的なシャフトやスライドレールを基本仕様とするが、ボールネジやボールスプラインとしても構わない。また、スペーサー用支持軸８はそれ自体がモーター等により回転できるようになっている。
【００１６】
このスペーサーの動作を図３〜図５により説明すると次のようである。
【００１７】
まず、すべてのスペーサー７を、スペーサー用支持軸８を中心に回動させて上方へ退避した状態にしておく。そして、このスペーサー７の退避状態で、丸刃ホルダー２の移動と固定を行う。すなわち、図３に示すように、位置決めブロック５から丸刃ホルダー２の側面に引っ掛かるようにピン５ａを出し、位置決めブロック用支持軸６に沿って位置決めブロック５を移動させる。具体的には、丸刃ホルダー２を一つ一つ順にスリット幅に合わせた所定の位置までホルダー用支持軸４に沿って移動させた後、丸刃ホルダー２に設けたエアシリンダ等で丸刃ホルダー２をホルダー用支持軸４に固定する。例えば、位置決めブロック５と位置決めブロック用支持軸６が螺合していれば、位置決めブロック用支持軸６を回動させることで位置決めブロック５を移動させることができる。
【００１８】
丸刃ホルダー２を順次移動して固定することで全ての丸刃１をスリット間隔でセットした後、スペーサー７の移動と固定を行う。すなわち、図４に示すように、位置決めブロック５からスペーサー７のブロック部分７ａ側面に引っ掛かるようにピン５ｂを出し、位置決めブロック用支持軸６に沿って位置決めブロック５を移動させる。具体的には、スペーサー７を一つ一つ順に丸刃ホルダー２の間に位置するようにスペーサー用支持軸８に沿って移動させた後、スペーサー７のブロック部分７ａに設けたエアシリンダ等でスペーサー７をスペーサー用支持軸８に固定する。スペーサー７の数はスリット間隔に左右されるが、図では隣接する丸刃ホルダー２の間に２つのスペーサー７をセットしている。
【００１９】
続いて、図５に示すように、位置決めブロック５を退避させてから、スペーサー用支持軸８を回動させることで、スペーサー７をそのアーム部分７ｂ先端が丸刃用回転軸３に被さるようにスペーサー用支持軸８を中心にして降ろし、そのアーム部分７ｂの先端に設けた回転軸接触用ローラー９が丸刃用回転軸３に接触する状態で設置する。丸刃ホルダー２とスペーサー７をセットした後、ウェブＷのパス通しを行ってスリットを開始する。このように丸刃ホルダー２の間にスペーサー７を設けたことにより、ウェブＷはスペーサー７のウェブ支持用ローラー１０上をスムースに通過しながら、ウェブＷにたわみが生じない状態で丸刃１とそれに対向する上刃とによってスリットが行われる。
【００２０】
以上、本発明の実施の形態について詳細に説明してきたが、本発明によるスリッターは、上記実施の形態に何ら限定されるものではなく、本発明の趣旨を逸脱しない範囲において種々の変更が可能であることは当然のことである。
【００２１】
例えば、上記の例では、丸刃ホルダーの間にスペーサーを２つずつ配置するようにしたが、スペーサーの数は、走行するウェブがたわまないようにスリット間隔やスペーサーの幅に応じて適宜決めればよいものである。
【００２２】
また、上記の例では、スペーサーにウェブ支持用ローラーを設けたが、このようなローラーはウェブの種類等に応じて適宜設ければよいものである。
【図面の簡単な説明】
【００２３】
【図１】本発明の実施形態に係るスリッターの下刃側の構造を示す平面図と側面図である。
【図２】スペーサーを拡大して示す側面図である。
【図３】スリッターの動作を図１に対応して示す説明図である。
【図４】図３に続く動作説明図である。
【図５】図４に続く動作説明図である。
【符号の説明】
【００２４】
１  丸刃
２  丸刃ホルダー
３  丸刃用回転軸
４  ホルダー用支持軸
５  位置決めブロック
５ａ，５ｂ  ピン
６  位置決めブロック用支持軸
７  スペーサー
７ａ  ブロック部分
７ｂ  アーム部分
８  スペーサー用支持軸
９  回転軸接触用ローラー
１０  ウェブ支持用ローラー
Ｗ  ウェブ
【図１】
0005115907.tif 000002
【図２】
0005115907.tif 000003
【図３】
0005115907.tif 000004
【図４】
0005115907.tif 000005
【図５】
0005115907.tif 000006